(57)【要約】【課題】現像ローラの長手方向両端部におけるトナー層厚の増加を抑制し、トナーのボタ落ちを防止する電子写真感光体を提供する。【解決手段】現像手段が非磁性一成分トナーを収容する現像容器と、該現像容器の開口部に延在し回転する現像ローラと、該現像ローラの長手方向両端部と該現像容器の開口部との間隙に設けられた端部シール部材とを有し、該端部シール部材が電子写真装置の最大通紙幅に相当する領域にかからないように設けられている電子写真装置に用いられる電子写真感光体において、該電子写真感光体における該端部シール部材の存在領域に対応する領域の暗減衰が、該最大通紙幅に相当する領域の暗減衰より大きく、その差が５０Ｖ以上１５０Ｖ以下であることを特徴とする電子写真感光体、該電子写真感光体を有する電子写真装置およびプロセスカートリッジ。【選択図】  なし【特許請求の範囲】
【請求項１】
電子写真感光体、帯電手段、像露光手段、現像手段、転写手段およびクリーニング手段を少なくとも有し、該現像手段が非磁性一成分トナーを収容する現像容器と、該現像容器の開口部に延在し回転する現像ローラと、該現像ローラの長手方向両端部と該現像容器の開口部との間隙に設けられた端部シール部材とを有し、該端部シール部材が該電子写真装置の最大通紙幅に相当する領域にかからないように設けられており、該クリーニング手段のクリーニング可能な長手方向長さが、該現像ローラの該電子写真感光体と当接している長手方向長さより長く、該転写手段が該端部シール部材の存在領域にかからないように設けられている電子写真装置に用いられる電子写真感光体において、
該電子写真感光体が導電性支持体上に電荷発生層および電荷輸送層をこの順に有する電子写真感光体であり、
該電荷輸送層が該電子写真感光体の軸線方向に、該現像容器の開口部より外側まで設けられており、
該電子写真感光体における該端部シール部材の存在領域に対応する領域の暗減衰が、該最大通紙幅に相当する領域の暗減衰より大きく、
その差が５０Ｖ以上１５０Ｖ以下であることを特徴とする電子写真感光体。
ただし、暗減衰＝｜Ｖｄ０｜−｜Ｖｄ１｜
｜Ｖｄ０｜＝６００Ｖ
Ｖｄ１＝電子写真感光体をＶｄ０に帯電してから５秒間暗所放置後の電子写真感光体表面電位。
【発明の詳細な説明】
【０００１】
【発明の属する技術分野】
本発明は、電子写真感光体、該電子写真感光体を有する電子写真装置および該電子写真感光体を有し電子写真装置に着脱自在なプロセスカートリッジに関する。
【０００２】
【従来の技術】
従来の電子写真装置としては、例えば現像手段として非磁性一成分接触現像方式を用いた電子写真装置が知られている。
【０００３】
図１はこの電子写真装置の主要部の断面図を模式的に表したものである。
【０００４】
まず、電子写真感光体２上に接触配置されている帯電ローラ１に電源装置３より電圧を印加し、感光体２表面を帯電し、像露光手段（不図示）によって原稿に対応した画像を感光体２に像露光４を行い、静電潜像を形成する。次に、現像装置５中のトナーを感光体２に付着させることにより感光体２上の静電潜像を現像（可視像化）する。更に、感光体２上に形成されたトナー像を供給された紙などの転写材Ｐ上に転写ローラ６によって転写し、クリーニングブレード７ａによって、転写材に転写されずに感光体２上に残った残トナーを廃トナー容器７に回収する。一方、トナー像が形成された転写材は搬送部（不図示）によって定着器８に送られてトナー像が定着される。また、必用に応じて前露光手段（不図示）を転写手段から帯電手段までの間に設け、感光体を除電する工程を設けてもよい。なお、Ｒ１、Ｒ２は帯電ローラ、感光体の回転方向を示し、Ｎはこれらのニップ部、Ｇ１、Ｇ２は回転方向の下流側、上流側を示す。
【０００５】
次に、現像装置について、更に説明する。１３は現像容器で、現像容器１３内には非磁性トナー１１が充填されている。このトナー１１はトナー搬送ローラ１０が現像ローラ９に接触することによって、現像ローラ９上にトナー１１が搬送されて、現像ブレード１２で薄層化され、かつ摩擦帯電される。そして、不図示の現像バイアス電源装置によって現像バイアスが現像ローラ９に印加され、現像ローラ９と感光体２が接触したときに感光体２上へのトナー像の形成が行われる。
【０００６】
このような現像装置５は、現像ローラ９の端部近傍からのトナー１１の外部への漏れ出し、いわゆるトナー漏れが生じ易く、画像形成装置内や出力画像をトナーで汚してしまうという不都合を招き易かった。
【０００７】
そこで、従来の現像装置では、図２に示すように、現像ローラ９端部近傍に別途端部シール部材１４を設けている。なお、図２は現像容器の開口部を感光体２の方向から見たものである。図２においては説明の都合上現像ローラ９は省略されている。
【０００８】
図２に示したように、現像ローラ９の両端部と現像容器開口部１５との間隙に繊維材料や発泡体等の材料からなる端部シール部材１４を設け、現像容器と現像ローラ９の長手方向両端部との間からのトナー１１の漏れ出しを防止することによって、現像ローラ９および現像ブレード１２両端部におけるトナー漏れを防止しつつ、現像ローラ９上にトナー１１の薄層を良好に現像することが可能となった。なお、１６はシート部材である。
【０００９】
【発明が解決しようとする課題】
しかしながら、上記に示した現像装置５を用いて、画像形成動作を多数回繰り返した場合、現像ローラ９の回転に伴い、現像ローラ近傍のトナーが徐々に端部シール部材１４近くに寄せ集まり、そのトナーが端部シール部材１４と当接している現像ローラ９の長手両端部近くにに少しずつコーティングされていき、それが現像ローラ９の端部にまで至ることがあった。また、端部シール部材１４の現像ローラ９との当接部がトナーで汚染されていることがあった。更に、現像ローラ９の長手両端部におけるトナーの層厚が徐々に増加していく現象が生じた。
【００１０】
そして更に、それが進行した場合には、現像ローラ９の長手両端部のトナー層厚が厚くなった部分において、現像ローラ９への電気的付着力が低下し、トナーが現像ローラ９表面から外部にこぼれ落ち（トナーボタ落ちと称する）、画像形成装置内を著しく汚してしまうという現象が発生した。また、出力画像がこのボタ落ちトナーで汚されてしまう場合もあった。この現象には、非磁性トナーを用いているため、磁気的な吸着力により現像ローラ表面にトナーを保持できないことが大きく影響している。
【００１１】
そこで、本発明の目的は、上記構成の現像装置を有する電子写真装置に用いることにより、現像ローラの長手方向両端部におけるトナー層厚の増加を抑制し、トナーのボタ落ちを防止する電子写真感光体、該電子写真感光体を有する電子写真装置およびプロセスカートリッジを提供することである。
【００１２】
【課題を解決するための手段】
すなわち、本発明は、電子写真感光体、帯電手段、像露光手段、現像手段、転写手段およびクリーニング手段を少なくとも有し、該現像手段が非磁性一成分トナーを収容する現像容器と、該現像容器の開口部に延在し回転する現像ローラと、該現像ローラの長手方向両端部と該現像容器の開口部との間隙に設けられた端部シール部材とを有し、該端部シール部材が該電子写真装置の最大通紙幅に相当する領域にかからないように設けられており、該クリーニング手段のクリーニング可能な長手方向長さが、該現像ローラの該電子写真感光体と当接している長手方向長さより長く、該転写手段が該端部シール部材の存在領域にかからないように設けられている電子写真装置に用いられる電子写真感光体において、
該電子写真感光体が導電性支持体上に電荷発生層および電荷輸送層をこの順に有する電子写真感光体であり、
該電荷輸送層が該電子写真感光体の軸線方向に、該現像容器の開口部より外側まで設けられており、
該電子写真感光体における該端部シール部材の存在領域に対応する領域の暗減衰が、該最大通紙幅に相当する領域の暗減衰より大きく、
その差が５０Ｖ以上１５０Ｖ以下であることを特徴とする電子写真感光体である。
【００１３】
ただし、暗減衰＝｜Ｖｄ０｜−｜Ｖｄ１｜
｜Ｖｄ０｜＝６００Ｖ
Ｖｄ１＝電子写真感光体をＶｄ０に帯電してから５秒間暗所放置後の電子写真感光体表面電位である。
【００１４】
また、本発明は、上記の電子写真感光体を有することを特徴とする電子写真装置およびプロセスカートリッジである。
【００１５】
【発明の実施の形態】
以下に本発明を詳細に説明する。なお、従来の電子写真装置、現像装置（図１、２）と共通する事項については説明を略す。また、本発明においては、図１で、電子写真感光体２と、帯電手段１、現像手段５およびクリーニング手段７ａ・７のうち少なくとも一つとを一体的に支持し、電子写真装置に着脱自在にして、プロセスカートリッジとすることができる。
【００１６】
本発明の電子写真感光体が用いられる電子写真装置では、図３に示すように、現像ローラと感光体の当接部位に相当する領域が、現像装置の端部シール部材にかかっている。本発明の感光体では、この領域に対応する個所の暗減衰が印字可能領域（最大通紙幅に相当する領域）における暗減衰より大きくなる構成をとる。
【００１７】
暗減衰が大きいことにより、感光体のこの領域の帯電能は低下する。そのため、画像形成時に現像ローラ９と端部シール部材１４とがオーバーラップするところにトナーが入り込んできて、現像ローラ９端部および端部シール部材１４がトナーで汚染されそうになっても、トナーは前記帯電能の低下した感光ドラム面上に現像され、次のクリーニングプロセスにおいて、クリーニングブレード７ａによって廃トナー容器７に回収される。このようにして、現像ローラ９と端部シール部材１４とがオーバーラップした部分の現像工程が終わった後の現像ローラ９上にはトナーの付着がなくなり、きれいな状態を保つことが可能になる。
【００１８】
次に、本発明の電子写真感光体について更に説明を加える。
【００１９】
はじめに、印字可能領域に関して述べる。感光体に使用される支持体としては、導電性を有していればいずれのものでもよく、例えば、アルミニウム、アルミニウム合金、銅、亜鉛、ステンレス、バナジウム、モリブデン、クロム、チタン、ニッケル、インジウム、金および白金を用いることができる。その他には、アルミニウム、アルミニウム合金、酸化インジウム、酸化スズおよび酸化インジウム−酸化スズ合金などを真空蒸着法によって被膜形成された層を有するプラスチック（例えばポリエチレン、ポリプロピレン、ポリ塩化ビニル、ポリエチレンテレフタレート、アクリル樹脂およびポリフッ化エチレンなど）、導電性粒子（例えば、アルミニウム、酸化チタン、酸化スズ、酸化亜鉛、カーボンブラックおよび銀などの粒子）を適当なバインダー樹脂（例えば、フェノール樹脂）と共に、プラスチックの上に被覆した支持体、導電性粒子をプラスチックや紙に含浸させた支持体、導電性ポリマーを有するプラスチックなどを用いることができる。
【００２０】
支持体と感光層の間にはバリア機能と接着機能を持つ下引き層を設けることもできる。下引き層の材料としてはポリビニルアルコール、ポリエチレンオキシド、エチルセルロース、メチルセルロース、カゼイン、ポリアミド（ナイロン６、ナイロン６６、ナイロン６１０、共重合ナイロンおよびＮ−アルコキシメチル化ナイロンなど）、ポリウレタン、にかわ、酸化アルミニウムおよびゼラチンなどが用いられる。その膜厚は０．１〜１０μｍであることが好ましく、０．５〜５μｍであることがより好ましい。
【００２１】
本発明の電子写真感光体の電荷発生層は、電荷発生材料を質量基準で０．２〜４倍量のバインダー樹脂、および溶剤と共に、ホモジナイザー、超音波、ボールミル、振動ボールミル、サンドミル、アトライターおよびロールミルなどの方法でよく分散し、塗布し、乾燥して形成される。その膜厚は５μｍ以下であることが好ましく、０．０１〜１μｍであることがより好ましい。
【００２２】
上記電荷発生材料としては、ピリリウム、チオピリリウム系染料、フタロシアニン系顔料、アントアントロン顔料、ジベンズピレンキノン顔料、ピラゾロン顔料、アゾ顔料、インジゴ顔料、キナクリドン系顔料、非対称キノシアニンおよびキノシアニンなどが挙げられる。
【００２３】
電荷発生層に用いられるバインダー樹脂としては、例えば、ポリエステル、アクリル樹脂、ポリビニルカルバゾール、フェノキシ樹脂、ポリカーボネート、ポリビニルブチラール、ポリスチレン、ポリビニルアセテート、ポリサルホン、ポリアリレート、ポリ塩化ビニリデン、アクリロニトリル共重合体およびポリビニルベンザールなどの樹脂が挙げられる。
【００２４】
電荷輸送層は、主として電荷輸送材料を質量基準で０．５〜３倍量のバインダー樹脂と共に溶剤中に溶解させた塗料を塗布し、乾燥して形成する。電荷輸送層の膜厚は、５〜４０μｍであることが好ましく、特には１０〜３０μｍであることが好ましい。
【００２５】
電荷輸送材料としては、各種のトリアリールアミン系化合物、ヒドラゾン系化合物、スチルベン系化合物、ピラゾリン系化合物、オキサゾール系化合物、チアゾール系化合物およびトリアリルメタン系化合物などが挙げられる。
【００２６】
電荷輸送層に用いられるバインダー樹脂としては、例えば、ポリエステル、アクリル樹脂、ポリビニルカルバゾール、フェノキシ樹脂、ポリカーボネート、ポリビニルブチラール、ポリスチレン、ポリビニルアセテート、ポリサルホン、ポリアリレート、ポリ塩化ビニリデン、アクリロニトリル共重合体およびポリビニルベンザールなどの樹脂が挙げられる。
【００２７】
本発明に用いられる電子写真感光体は、必要に応じ、上記の感光層の上に保護層を設けて使用してもよい。
【００２８】
上記の各層の塗布方法としては、浸漬コーティング法、スプレーコーティング法、スピンナーコーティング法、ビードコーティング法、ブレードコーティング法およびビームコーティング法などの塗布方法を用いることができる。
【００２９】
また、上記の電荷発生材料、電荷輸送材料、および各層に用いられるバインダー樹脂は、それぞれ単独で使用しても、２種類以上を組み合わせて使用してもよい。
【００３０】
また、各層には必要に応じて分散剤、酸化防止剤、紫外線防止剤および潤滑剤など種々の添加剤を含有させることができる。
【００３１】
次に、本発明の電子写真感光体の両端部に存在する暗減衰の大きな領域（領域Ａ）に関して述べる。
【００３２】
領域Ａは、上述した印字可能領域（最大通紙幅に相当する領域）における感光体構成の一部を変更することにより設けることが可能である。例えば、領域Ａに相当する個所のみ導電性支持体表面にメッキ等の加工を施す、もしくは逆に、領域Ａのみ印字可能領域で施されている加工を施さないことにより、導電性支持体の物性を変化させる方法、下引き層やバリア層を薄くする、もしくは無くしてしまう方法、電荷発生層の膜厚を特に厚くする方法、電荷輸送層の膜厚を特に薄くしたり、領域Ａのみ電荷輸送層の構成材料を変更する方法などが考えられる。なお、本発明の範囲は上記例示した方法のみに限定されるものではない。
【００３３】
これらの方法のいずれか一つ、もしくは複数を組み合わせることにより、｜Ｖｄ０｜−｜Ｖｄ１｜（ただし、｜Ｖｄ０｜＝６００Ｖ、Ｖｄ１＝電子写真感光体をＶｄ０に帯電してから５秒間暗所放置後の感光体表面電位）で定義される暗減衰の大きさを、印字可能領域よりも５０Ｖから１５０Ｖ大きくすることにより、本発明の感光体を得ることができる。なお、暗減衰の大きさの差が５０Ｖ未満では、現像ローラと端部シール部材の間に入り込むトナーを電子写真感光体に現像することが困難である。また、逆に１５０Ｖより大きいと、例えばピンホールリークの発生などを引き起こし、印字可能領域にも影響を及ぼす帯電不良の原因となりうる。特に、帯電方式が接触帯電方式の場合にはこのような帯電不良が生じ易い。
【００３４】
【実施例】
以下、本発明を実施例により説明する。
【００３５】
以下に示す「％」および「部」は、それぞれ「質量％」および「質量部」を意味する。
【００３６】
〔実施例１〕
１０％の酸化アンチモンを含有する酸化スズで被覆した酸化チタン粉体５０部、レゾール型フェノール樹脂２５部、メチルセロソルブ２０部、メタノール５部およびシリコーンオイル（ポリジメチルシロキサン・ポリオキシアルキレン共重合体、平均分子量３，０００）０．００２部を、１ｍｍφガラスビーズを用いたサンドミルで２時間分散して導電層用塗料を調製した。アルミニウムシリンダ（φ３０ｍｍ、長さ２６０．５ｍｍ）上に、導電層用塗料を浸漬コーティング法で塗布し、１４０℃で３０分間乾燥して、膜厚が１５μｍの導電層を形成した。
【００３７】
導電層上に６−６６−６１０−１２四元系ポリアミド共重合体５部をメタノール７０部とブタノール２５部の混合溶媒に溶解した溶液を浸漬コーティング法で塗布し、乾燥して、膜厚が０．７μｍの下引き層を形成した。
【００３８】
次に、ＣｕＫα特性Ｘ線回折におけるブラッグ角２θ±０．２°＝７．５°、９．９°、１６．３°、１８．６°、２５．１°、２８．３°に強いピークを有するヒドロキシガリウムフタロシアニン結晶２部を、ポリビニルブチラール樹脂（商品名：エスレックＢＸ−１、積水化学工業社製）１部をシクロヘキサノン１９部に溶解した樹脂溶液と混合し、直径１ｍｍのガラスビーズを用いたサンドミルで３時間分散して分散液を調製し、これにシクロヘキサノン６９部と酢酸エチル１３２部を加えて希釈して、電荷発生層用塗料を調製した。下引き層上に電荷発生層用塗料を浸漬コーティング法で塗布し、１００℃で１０分間乾燥して、膜厚が０．１２μｍの電荷発生層を形成した。
【００３９】
次に、下記構造式（Ｉ）で示される構造を有する電荷輸送材料８部と、
【００４０】
【化１】
2004317946.tif 000002
下記構造式（ＩＩ）で示される繰り返し構造単位を有するポリアリレート樹脂（粘度平均分子量１００，０００）１０部を
【００４１】
【化２】
2004317946.tif 000003
クロロベンゼン６０部に溶解し、電荷輸送層用塗料を調製した。電荷発生層上に電荷輸送層用塗料を浸漬コーティング法で塗布し、１２０℃で６０分間乾燥して電荷輸送層を形成した。なお、電荷輸送層塗布の際、シリンダ上昇速度を調整し、乾燥後膜厚が最大通紙幅の領域で１８μｍになるように、また、現像装置の端部シール位置に相当する領域で７μｍになるようにした。このようにして、本発明の電子写真感光体を得た。
【００４２】
この電子写真感光体を、次のような方法で評価した。
【００４３】
評価用の装置には、ヒューレットパッカード社製ＬＢＰ「レーザージェット４０００」（電子写真プロセスのサイクルタイム１．０ｓ／ｃｙｃｌｅ）の改造機を用いた。高圧電源基板に改造を施し、帯電電圧および現像バイアス電圧を変えられるようにした。帯電電圧に関しては印加電圧が直流電圧（ＤＣ電圧）のみにも、直流電圧に交流電圧を重畳したＡＣ／ＤＣ電圧にも切り替えることができるようにした。また、転写ローラの長さも図３に準じて調整した。更に、像露光装置にも改造を施して像露光量も調整可能にした。
【００４４】
また、プロセスカートリッジにおける現像部分も、図１および図３に示す概略図に準じた改造を施した。また、トナーは重合法により製造されたものを用いた。
【００４５】
評価は、温度２３℃、湿度５５％ＲＨの環境下で行った。
【００４６】
まず、上記電子写真装置を用いて、電子写真感光体の暗減衰を測定した。
【００４７】
帯電ローラには直流電圧を印加し、その印加電圧を調整してＶｄ０＝６００Ｖになるように感光体表面を帯電させ、帯電電圧をオフした後、５秒後の感光体表面電位Ｖｄ１を読み取って暗減衰＝｜Ｖｄ０｜−｜Ｖｄ１｜を求めた。感光体の印字可能領域と、端部シール部材位置に対応する領域との各々についてこれを測定した結果を表１に示す。
【００４８】
次に、上記の電子写真装置およびプロセスカートリッジを用いて５０００枚の通紙耐久試験を行った。ここで、印字可能領域における感光体の初期の帯電電圧がＶｄ＝−５００Ｖとなるように、帯電ローラへ印加するＡＣ／ＤＣ電圧の直流成分を調節した。なお、交流成分（周波数０．８７ｋＨｚ）のピーク  トゥー  ピーク電圧は１０００Ｖとした。また、初期の明電位Ｖｌが−１２０Ｖとなるように光量を調整した。また、現像バイアス電圧はＶｄｃ＝−２９０Ｖに設定した。この条件で、耐久の前後に１ドット１スペースのハーフトーン画像を出力してその画像評価を目視で行った。また、耐久終了後のトナー漏れの有無および、現像ローラと端部シール部材がオーバーラップする個所におけるトナー汚染の状態についても評価した。結果を表１に示す。
【００４９】
〔実施例２〕
実施例１において、端部シール部材の位置に対応する個所の電荷発生層の膜厚を０．３μｍに形成し、電荷輸送層は膜厚の調整を行わずに全体が膜厚１８μｍとなるよう形成した以外は全く同様にして電子写真感光体を作成した。
【００５０】
暗減衰の測定は実施例１と同様の方法で行った。また、通紙耐久試験では感光体の帯電に直流電圧のみを用い、Ｖｄ＝−５００Ｖとなるように印加電圧を調整した。それ以外の条件は実施例１と全く同様にして評価を行った。結果を表１に示す。
【００５１】
〔実施例３〕
実施例１で用いた導電層塗布前のアルミシリンダーを、湿式ホーニングにより十点平均粗さ（Ｒｚ）がＲｚ＝５．０μｍとなるように処理した。その後、導電層を塗布する際、塗布後の加熱乾燥前に、端部シール部材の位置に対応する個所のみ導電層を剥離した。その後、下引き層、電荷発生層を実施例１と同様に形成し、電荷輸送層は実施例２と同様に形成して電子写真感光体を作成した。評価は実施例２と全く同様にして行った。結果を表１に示す。
【００５２】
なお、表面粗さの測定は、ＪＩＳ  Ｂ  ０６０１（１９９４）に準じ、小坂研究所表面粗さ計サーフコーダーＳＥ３５００を用い、カットオフ０．８ｍｍ、測定長さ８ｍｍで行った。十点平均粗さＲｚはサーフコーダーＳＥ３５００の設定をＪＩＳ  Ｂ０６０１（１９９４）とした時に得られた値を示す。
【００５３】
〔実施例４〕
実施例１において、端部シール部材の位置に対応する個所の電荷発生層の膜厚を０．２μｍに形成した以外は、電荷輸送層の膜厚形成方法も実施例１と全く同様にして電子写真感光体を作成し、評価を行った。結果を表１に示す。
【００５４】
〔比較例１〕
実施例２において、端部シール部材の位置に対応する個所の電荷発生層の膜厚も０．１２μｍになるように形成した以外は全く同様にして電子写真感光体を作成し、評価を行った。結果を表１に示す。
【００５５】
〔比較例２〕
実施例１において、端部シール部材の位置に対応する個所の電荷輸送層の膜厚を３μｍになるように形成した以外は全く同様にして電子写真感光体を作成し、評価を行った。結果を表１に示す。
【００５６】
【表１】
2004317946.tif 000004
【００５７】
以上本発明の実施例について説明したが、本発明の好適な実施の態様を以下のとおり列挙する
［実施態様１］
電子写真感光体、帯電手段、像露光手段、現像手段、転写手段およびクリーニング手段を少なくとも有し、該現像手段が非磁性一成分トナーを収容する現像容器と、該現像容器の開口部に延在し回転する現像ローラと、該現像ローラの長手方向両端部と該現像容器の開口部との間隙に設けられた端部シール部材とを有し、該端部シール部材が該電子写真装置の最大通紙幅に相当する領域にかからないように設けられており、該クリーニング手段のクリーニング可能な長手方向長さが、該現像ローラの該電子写真感光体と当接している長手方向長さより長く、該転写手段が該端部シール部材の存在領域にかからないように設けられている電子写真装置に用いられる電子写真感光体において、
該電子写真感光体が導電性支持体上に電荷発生層および電荷輸送層をこの順に有する電子写真感光体であり、
該電荷輸送層が該電子写真感光体の軸線方向に、該現像容器の開口部より外側まで設けられており、
該電子写真感光体における該端部シール部材の存在領域に対応する領域の暗減衰が、該最大通紙幅に相当する領域の暗減衰より大きく、
その差が５０Ｖ以上１５０Ｖ以下であることを特徴とする電子写真感光体。
【００５８】
ただし、暗減衰＝｜Ｖｄ０｜−｜Ｖｄ１｜
｜Ｖｄ０｜＝６００Ｖ
Ｖｄ１＝電子写真感光体をＶｄ０に帯電してから５秒間暗所放置後の電子写真感光体表面電位。
【００５９】
［実施態様２］
実施態様１に記載の電子写真感光体を有することを特徴とする電子写真装置。
【００６０】
［実施態様３］
実施態様１に記載の電子写真感光体と、帯電手段、現像手段およびクリーニング手段のうち少なくとも一つとを一体的に支持し、電子写真装置に着脱自在であることを特徴とするプロセスカートリッジ。
【００６１】
【発明の効果】
以上のように、本発明により、非磁性一成分現像方式の現像装置におけるトナー漏れを防止し、画像汚れのない高画質の画像を提供可能な電子写真感光体、該電子写真感光体を有する電子写真装置および該電子写真感光体を有し電子写真装置に着脱自在なプロセスカートリッジが可能となった。
【図面の簡単な説明】
【図１】画像形成装置の断面図。
【図２】感光ドラム２側から現像容器開口部を見たときの図。
【図３】感光ドラム２側から現像容器開口部を見たときの図。
【符号の説明】
１    帯電ローラ
２    感光ドラム（感光体）
３    電源装置
４    像露光装置（不図示）からの像露光
５    現像装置
６    転写ローラ
７    廃トナー容器
７ａ    クリーニングブレード
８    定着器
９    現像ローラ
１０    トナー搬送ローラ
１１    非磁性トナー
１２    現像ブレード
１３    現像容器
１４    端部シール部材
１５    現像容器開口部
１６    シート部材
Ｐ    転写材
【図１】
2004317946.tif 000005
【図２】
2004317946.tif 000006
【図３】
2004317946.tif 000007